【手続補正書】
【提出日】平成17年11月7日(2005.11.7)
【手続補正１】
【補正対象書類名】明細書
【補正対象項目名】発明の名称
【補正方法】変更
【補正の内容】
【発明の名称】表示装置及びその表示制御方法並びにプログラム
【手続補正２】
【補正対象書類名】明細書
【補正対象項目名】特許請求の範囲
【補正方法】変更
【補正の内容】
【特許請求の範囲】
【請求項１】  １つの表示画面上に複数のウインドウを表示可能な表示装置において、
表示データを入力する入力手段と、
前記入力された表示データを記憶する記憶手段と、
前記記憶手段に記憶された表示データにもとづいた画像を前記ウインドウに所定の輝度で表示する表示手段と、
前記ウインドウがアクティブ状態であるか否かを判別する判別手段と、
前記判別手段により前記ウインドウがアクティブ状態ではないと判別された場合に、当該ウインドウに表示される画像の輝度を低下させる輝度制御手段とを備えることを特徴とする表示装置。
【請求項２】  １つの表示画面上に複数のウインドウを表示可能な表示装置において、
表示データを入力する入力手段と、
前記入力された表示データを記憶する記憶手段と、
前記記憶手段に記憶された表示データにもとづいた画像を前記ウインドウに所定の輝度で表示する表示手段と、
前記ウインドウがアクティブ状態であるか否かを判別する判別手段と、
前記判別手段により前記ウインドウがアクティブ状態ではないと判別された場合に、当該ウインドウに表示される画像の表示データの輝度レベル値を反転させる輝度反転手段とを備えることを特徴とする表示装置。
【請求項３】 前記判別手段は、ポインティングデバイスの操作に応じた位置に表示されるカーソルの位置情報と前記ウインドウの位置情報とに基づいて、前記表示データがアクティブ状態であるか否かを判別することを特徴とする請求項１又は２記載の表示装置。
【請求項４】  １つの表示画面上に複数のウインドウを表示可能な表示装置の表示制御方法において、
表示データを入力する入力ステップと、
前記入力された表示データを記憶する記憶ステップと、
前記記憶された表示データにもとづいた画像を前記ウインドウに所定の輝度で表示する表示ステップと、
前記ウインドウがアクティブ状態であるか否かを判別する判別ステップとを有し、
前記判別ステップにおいて前記ウインドウがアクティブ状態ではないと判別された場合に、当該ウインドウに表示される画像の輝度を低下させることを特徴とする表示制御方法。
【請求項５】  １つの表示画面上に複数のウインドウを表示可能な表示装置の表示制御方法において、
表示データを入力する入力ステップと、
前記入力された表示データを記憶する記憶ステップと、
前記記憶された表示データにもとづいた画像を前記ウインドウに所定の輝度で表示する表示ステップと、
前記ウインドウがアクティブ状態であるか否かを判別する判別ステップとを有し、
前記判別ステップにおいて前記ウインドウがアクティブ状態ではないと判別された場合に、当該ウインドウに表示される画像の表示データの輝度レベル値を反転させることを特徴とする表示制御方法。
【請求項６】 請求項４又は５記載の表示制御方法をコンピュータに実行させるためのプログラム。
【手続補正３】
【補正対象書類名】明細書
【補正対象項目名】０００１
【補正方法】変更
【補正の内容】
【０００１】
【発明の属する技術分野】
本発明は、表示装置及びその表示制御方法並びにプログラムに関し、特に、１つの表示画面上に複数のウインドウを表示することができる表示手段を有する表示装置及びその表示制御方法並びにプログラムに関する。
【手続補正４】
【補正対象書類名】明細書
【補正対象項目名】０００４
【補正方法】変更
【補正の内容】
【０００４】
本発明は、上記問題点を解決するためになされたもので、複数のウインドウを開いた場合であっても、常にどのウインドウが現在アクティブ状態であるかを明確に表示することができる表示装置及びその表示制御方法並びにプログラムを提供することを目的とする。
【手続補正５】
【補正対象書類名】明細書
【補正対象項目名】０００５
【補正方法】変更
【補正の内容】
【０００５】
【課題を解決するための手段】
上記目的を達成するために、請求項１の表示装置は、１つの表示画面上に複数のウインドウを表示可能な表示装置において、表示データを入力する入力手段と、前記入力された表示データを記憶する記憶手段と、前記記憶手段に記憶された表示データにもとづいた画像を前記ウインドウに所定の輝度で表示する表示手段と、前記ウインドウがアクティブ状態であるか否かを判別する判別手段と、前記判別手段により前記ウインドウがアクティブ状態ではないと判別された場合に、当該ウインドウに表示される画像の輝度を低下させる輝度制御手段とを備えることを特徴とする。
【手続補正６】
【補正対象書類名】明細書
【補正対象項目名】０００６
【補正方法】変更
【補正の内容】
【０００６】
請求項２の表示装置は、１つの表示画面上に複数のウインドウを表示可能な表示装置において、表示データを入力する入力手段と、前記入力された表示データを記憶する記憶手段と、前記記憶手段に記憶された表示データにもとづいた画像を前記ウインドウに所定の輝度で表示する表示手段と、前記ウインドウがアクティブ状態であるか否かを判別する判別手段と、前記判別手段により前記ウインドウがアクティブ状態ではないと判別された場合に、当該ウインドウに表示される画像の表示データの輝度レベル値を反転させる輝度反転手段とを備えることを特徴とする。
請求項３の表示装置は、上記請求項１又は２記載の表示装置において、前記判別手段は、ポインティングデバイスの操作に応じた位置に表示されるカーソルの位置情報と前記ウインドウの位置情報とに基づいて、前記表示データがアクティブ状態であるか否かを判別することを特徴とする。
【手続補正７】
【補正対象書類名】明細書
【補正対象項目名】０００７
【補正方法】削除
【補正の内容】
【手続補正８】
【補正対象書類名】明細書
【補正対象項目名】０００８
【補正方法】変更
【補正の内容】
【０００８】
請求項４の表示装置の表示制御方法は、１つの表示画面上に複数のウインドウを表示可能な表示装置の表示制御方法において、表示データを入力する入力ステップと、前記入力された表示データを記憶する記憶ステップと、前記記憶された表示データにもとづいた画像を前記ウインドウに所定の輝度で表示する表示ステップと、前記ウインドウがアクティブ状態であるか否かを判別する判別ステップとを有し、前記判別ステップにおいて前記ウインドウがアクティブ状態ではないと判別された場合に、当該ウインドウに表示される画像の輝度を低下させることを特徴とする。
【手続補正９】
【補正対象書類名】明細書
【補正対象項目名】０００９
【補正方法】変更
【補正の内容】
【０００９】
請求項５の表示装置の表示制御方法は、１つの表示画面上に複数のウインドウを表示可能な表示装置の表示制御方法において、表示データを入力する入力ステップと、前記入力された表示データを記憶する記憶ステップと、前記記憶された表示データにもとづいた画像を前記ウインドウに所定の輝度で表示する表示ステップと、前記ウインドウがアクティブ状態であるか否かを判別する判別ステップとを有し、前記判別ステップにおいて前記ウインドウがアクティブ状態ではないと判別された場合に、当該ウインドウに表示される画像の表示データの輝度レベル値を反転させることを特徴とする。
請求項６のプログラムは、上記請求項４又は５記載の表示制御方法をコンピュータに実行させることを特徴とする。
【手続補正１０】
【補正対象書類名】明細書
【補正対象項目名】００１０
【補正方法】削除
【補正の内容】
【手続補正１１】
【補正対象書類名】明細書
【補正対象項目名】００１１
【補正方法】削除
【補正の内容】
【手続補正１２】
【補正対象書類名】明細書
【補正対象項目名】００１２
【補正方法】削除
【補正の内容】
【手続補正１３】
【補正対象書類名】明細書
【補正対象項目名】００１３
【補正方法】削除
【補正の内容】
【手続補正１４】
【補正対象書類名】明細書
【補正対象項目名】００２２
【補正方法】変更
【補正の内容】
【００２２】
ＭＰＵ５は、現在アクセスされているウインドウ、ウインドウサイズ及びウインドウの物理的位置を把握している。従って、ＭＰＵ５は、上記ウインドウの物理的位置情報に基づいて、現在輝度変換回路４により処理されている表示データがアクティブであるか否かを判別し、非アクティブである場合には輝度レベルを低下させる処理が行われる。例えば、輝度変換回路４は、第２の記憶部３から呼び出された表示データの輝度レベル値が６４である場合であって、この表示データが、非アクティブである場合は、その表示データの輝度レベル値を３２に制御する。これにより、表示部６の表示データは輝度変換され、信号線Ｌ５を介して表示部６に表示データにもとづいた画像が表示される。なお、第２の記憶部３から取り出される表示データの輝度レベル値は、たとえば第２の記憶部３に予め記憶されているものとする。
【手続補正１５】
【補正対象書類名】明細書
【補正対象項目名】００２６
【補正方法】変更
【補正の内容】
【００２６】
そして、ＭＰＵ５により、前記第２の記憶部３から信号線Ｌ３を介して輝度変換回路４へ転送された表示データがアクティブデータであるか非アクティブデータであるかが判別される（ステップＳ４）。この判別で、アクティブデータである場合は、ＭＰＵ５により当該表示データの輝度レベル値が呼び出され、ＭＰＵ５の制御により、その輝度レベル値に応じた輝度で表示データにもとづいた画像が表示される（ステップＳ５）。また、ステップＳ４の判別で、非アクティブデータである場合は、ＭＰＵ５により当該表示データの輝度レベル値が呼び出され（ステップＳ６）、呼び出された輝度レベル値が１／２倍される（ステップＳ７）。ステップＳ７の処理によって得られた値の小数点以下を切り捨てる処理が行われる（ステップＳ８）。そして、ステップＳ５に進み、得られた輝度レベル値を用いて、表示データにもとづいた画像が表示される。
【手続補正１６】
【補正対象書類名】明細書
【補正対象項目名】００２７
【補正方法】変更
【補正の内容】
【００２７】
このように、本実施形態によれば、１つの画面上に複数のウインドウ（表示データにもとづいた画像）を表示する場合であっても、現在アクセス中である（アクティブ状態にある）ウインドウについてはそのウインドウに対して定められている輝度レベル値を用いて表示画面上に表示され、アクセス中でない（非アクティブ状態にある）ウインドウについてはそのウインドウに対して定められている輝度レベル値を１／２倍することにより得られる値を用いて表示画面上に表示される。従って、表示装置の使用者は、現在アクセスしているウインドウを的確に把握することができる。
【手続補正１７】
【補正対象書類名】明細書
【補正対象項目名】００２９
【補正方法】変更
【補正の内容】
【００２９】
図５は、本実施形態に係る表示装置の全体構成を示すブロック図である。本実施形態は、図３の輝度変換回路５に代えて反転回路７を採用した点で、上述した第１実施形態と相違する。これ以外の構成要素及びその機能は、第１実施形態の図３に示した構成要素及びその機能と同様である。反転回路７は、ＭＰＵ５により非アクティブ状態であると判別された表示データについて設定されている輝度レベル値を反転させる機能を有する。例えば、第２の記憶部３から呼び出された表示データが８ビットであって輝度レベル値が「６４」である場合、その輝度レベル値を二進法換算すると「０１００００００」で表示できる。この値を反転回路７に通すと、「２５５」（十進法）から「６４」（十進法）を減算する演算が行われる。その結果「１９１」（十進法）即ち、二進法変換すると「１０１１１１１１」という値が得られる。反転回路７は、このようにして得られた値を用いて表示データを反転し、表示部６に送る。
【手続補正１８】
【補正対象書類名】明細書
【補正対象項目名】００３１
【補正方法】変更
【補正の内容】
【００３１】
ＭＰＵ５により、前記第２の記憶部３から信号線Ｌ３を介して輝度変換回路４へ転送された表示データが非アクティブデータであるかが判別された場合は、ＭＰＵ５により当該表示データの輝度レベル値が呼び出され（ステップＳ６）、呼び出された輝度レベル値が、上述した演算によって反転される（ステップＳ１１）。そして、ステップＳ５に進み、得られた輝度レベル値を用いて、表示データにもとづいた画像が表示される。
【手続補正１９】
【補正対象書類名】明細書
【補正対象項目名】００３２
【補正方法】変更
【補正の内容】
【００３２】
このように、本実施形態によれば、１つの画面上に複数のウインドウ（表示データにもとづいた画像）を表示する場合、現在アクセス中である（アクティブ状態にある）ウインドウについてはそのウインドウに対して定められている輝度レベル値を用いて表示画面上に表示され、アクセス中でない（非アクティブ状態にある）ウインドウについてはそのウインドウに対して定められている輝度レベル値を反転することにより得られる値を用いて表示画面上に表示される。従って、表示装置の使用者は、現在アクセスしているウインドウを的確に把握することができる。
【手続補正２０】
【補正対象書類名】明細書
【補正対象項目名】００３４
【補正方法】変更
【補正の内容】
【００３４】
かかる構成は、例えば第１実施形態の図３に示したブロック図で示した構成により実現可能である。この場合、輝度変換回路４を通過する表示データ（第２の記憶部３から信号線Ｌ３を介して送出された表示データ）はＭＰＵ５により観察され、信号線Ｌ３から輝度変換回路４へ転送された表示データにもとづいた画像が表示されるウインドウ上にカーソルが存在していればアクティブ状態と判別され、そうではない場合には非アクティブ状態と判別される。また、このようなアクティブ・非アクティブの判別手法を、第２実施形態の図５に示した構成により実現することも可能である。この場合は、輝度変換回路４に代えて反転回路７を通過する表示データについて、同様の判別が実行される。
【手続補正２１】
【補正対象書類名】明細書
【補正対象項目名】００４１
【補正方法】変更
【補正の内容】
【００４１】
【発明の効果】
以上説明したように、請求項１の表示装置または請求項４の表示制御方法によれば、表示データを入力し、前記入力された表示データを記憶手段に記憶し、前記記憶手段に記憶された表示データにもとづいた画像をウインドウに所定の輝度で表示手段上に表示し、前記ウインドウがアクティブ状態であるか否かを判別し、前記ウインドウがアクティブ状態ではないと判別された場合に、当該ウインドウに表示される画像の輝度を低下させるようにしたので、１つの画面上に複数のウインドウ（表示データにもとづいた画像）を表示する場合であっても、現在アクセス中である（アクティブ状態にある）ウインドウについてはそのウインドウに対して定められている輝度レベル値を用いて表示画面上に表示され、アクセス中でない（非アクティブ状態にある）ウインドウについてはそのウインドウに対して定められている輝度レベル値を低減することにより得られる値を用いて表示画面上に表示される。従って、表示装置の使用者は、現在アクセスしているウインドウを的確に把握することができるという効果が得られる。
【手続補正２２】
【補正対象書類名】明細書
【補正対象項目名】００４２
【補正方法】変更
【補正の内容】
【００４２】
請求項２の表示装置または請求項５の表示制御方法によれば、表示データを入力し、前記入力された表示データを記憶手段に記憶し、前記記憶手段に記憶された表示データにもとづいた画像をウインドウに所定の輝度で表示手段上に表示し、前記ウインドウがアクティブ状態であるか否かを判別し、前記ウインドウがアクティブ状態ではないと判別された場合に、当該ウインドウに表示される画像の表示データの輝度レベル値を反転させるようにしたので、１つの画面上に複数のウインドウ（表示データにもとづいた画像）を表示する場合、現在アクセス中である（アクティブ状態にある）ウインドウについてはそのウインドウに対して定められている輝度レベル値を用いて表示画面上に表示され、アクセス中でない（非アクティブ状態にある）ウインドウについてはそのウインドウに対して定められている輝度レベル値を反転することにより得られる値を用いて表示画面上に表示される。従って、表示装置の使用者は、現在アクセスしているウインドウを的確に把握することができるという効果が得られる。
【手続補正２３】
【補正対象書類名】明細書
【補正対象項目名】００４３
【補正方法】削除
【補正の内容】
【手続補正２４】
【補正対象書類名】明細書
【補正対象項目名】００４４
【補正方法】削除
【補正の内容】